(57)【要約】【課題】空調機から供給される調和空気の風量が減少した場合でも、流出口から流出する調和空気の到達距離を所定状態に維持することができる吹出口装置を提供する。【解決手段】吹出口装置１００は、空調機から供給される調和空気を搬送するダクトと接続し、調和空気を流入させるダクト接続口１１と、ダクト接続口１１から流入した調和空気が流動する流路１２と、流路１２を流動する調和空気を空調対象空間に向かって流出させる流出口１３と、を有する四角筒状のケーシング１０と、ケーシング１０内の流路１２に配置された絞り機構２０と、を備えている。絞り機構２０は、流路１２の少なくとも一部の横断面積を変更可能な４枚の絞り羽根２１及び副絞り羽根２２を備えている。【選択図】図４
2020041756.tif 000002
【特許請求の範囲】
【請求項１】
空調機から供給される調和空気を搬送するダクトと接続し、調和空気を流入させるダクト接続口と、前記ダクト接続口から流入した調和空気が流動する流路と、前記流路を流動する調和空気を空調対象空間に向かって流出させる流出口と、を有する筒状のケーシングと、
前記ケーシング内の前記流路に配置された絞り機構と、を備え、
前記絞り機構が前記流路の横断面積を変更可能な複数の絞り羽根を備えた吹出口装置。
【請求項２】
前記絞り機構が、
前記ケーシングの軸心を包囲する状態で、前記ダクト接続口から前記流出口に向かってテーパ状に縮幅するように配置された複数の台形板形状の絞り羽根と、
複数の前記絞り羽根の前記流出口側の辺縁部が前記軸心に対して接近・離隔するように前記絞り羽根を回動可能な回動手段と、を備えた請求項１記載の吹出口装置。
【請求項３】
複数の前記絞り羽根に、前記絞り羽根の前記流出口側の辺縁部から前記軸心に対して接近・離隔する方向にスライド可能な副絞り羽根を設けた請求項２記載の吹出口装置。
【請求項４】
前記絞り機構が、
前記ケーシングの軸心を挟んで対向する状態で配置された複数の半ドーナツ板形状の絞り羽根と、
前記ケーシングの軸心と前記絞り羽根の面方向とのなす角度が０度から９０度の角度範囲内の少なくとも一部の角度範囲内において前記絞り羽根を回動可能な回動手段と、を備えた請求項１記載の吹出口装置。
【請求項５】
前記ケーシングの軸心を含む状態であって、且つ、前記絞り機構が配置された領域の少なくとも一部を含む位置に、中間仕切板を設けた請求項３記載の吹出口装置。
【請求項６】
前記ケーシングにおいて前記絞り機構よりも前記流出口寄りの位置に気流案内部材を配置した請求項１〜５の何れかの項に記載の吹出口装置。
【請求項７】
前記気流案内部材が、中筒を内蔵したノズルである請求項６記載の吹出口装置。
【発明の詳細な説明】
【技術分野】
【０００１】
本発明は、大空間空調設備の一部として使用され、空調機から供給される調和空気を空調対象空間に向かって吹き出す機能を有する吹出口装置に関する。
【背景技術】
【０００２】
大空間空調における設計方法としては、空調機から供給される風量が設計風量（１００％）であるときの気流到達分布の検討を行い、気流到達を満足できる製品及びサイズにて設計を行うのが一般的である。但し、この場合、空調機から供給される風量が変動（１００％→７５％→５０％に減少）すると、気流到達距離も変わってしまい、満足できない気流到達分布となることがある。
【０００３】
一方、空調機から供給される調和空気を搬送するダクトと接続され、空調対象空間に向かって調和空気を吹き出す機能を有する吹出口装置については、従来、様々な構造を有するものが提案されているが、本発明に関連するものとして、例えば、特許文献１に記載された「ダンパ」がある。
【０００４】
前記「ダンパ」は、ダンパケース内の両側に、一対の羽根を開閉可能に軸支し、これらを屈折リンク機構により連結し、この機構の枢支連結部をダンパケース内の前後方向に移動調整することにより、羽根を同調開閉させることができ、これにより、絞り通風路を通過する通風エアの風速を高めて、その到達距離を増長させることができる。
【先行技術文献】
【特許文献】
【０００５】
【特許文献１】特開平９−９６４３５号公報
【発明の概要】
【発明が解決しようとする課題】
【０００６】
前述したように、特許文献１に記載された「ダンパ」は、絞り通風路を通過する通風エアの風速を高めて、その到達距離を増長させることができるが、この「ダンパ」は、上下方向に配置された一対の羽根により気流を上下方向から絞り込む方式であるため、絞り通風路を通過した気流が偏平な状態となり、安定した気流にならず、所定の場所まで気流を到達させることが困難である。
【０００７】
また、前記「ダンパ」を構成する一対の羽根はそれぞれの両側部を折り曲げた形状であるため、製造工程が煩雑となり、一対の羽根の開度の調整作業は蝶ねじを手動操作することによって行う必要があるため、高所作業が困難となるなどの問題もある。
【０００８】
本発明が解決しようとする課題は、空調機から供給される調和空気の風量が減少した場合でも、流出口から流出する調和空気の到達距離を所定状態に安定維持することができる吹出口装置を提供することにある。
【課題を解決するための手段】
【０００９】
本発明に係る吹出口装置は、空調機から供給される調和空気を搬送するダクトと接続し、調和空気を流入させるダクト接続口と、前記ダクト接続口から流入した調和空気が流動する流路と、前記流路を流動する調和空気を空調対象空間に向かって流出させる流出口と、を有する筒状のケーシングと、
前記ケーシング内の前記流路に配置された絞り機構と、を備え、
前記絞り機構が前記流路の横断面積を変更可能な複数の絞り羽根を備えたことを特徴とする。
【００１０】
このような構成とすれば、空調機から供給される調和空気の風量が減少し、ダクト接続口から流路内に流入する調和空気の風量が減少した場合、絞り機構を操作して流路の横断面積を縮小させると、流出口から流出する調和空気の風速の低下が抑制され、所定の風速を維持することできるので、空調機から供給される調和空気の風量が減少した場合でも流出口から流出する調和空気の到達距離を所定状態に安定維持することができる。
【００１１】
また、一旦、減少した調和空気の風量が元の風量に戻り、ダクト接続口から流路内に流入する調和空気の風量が増加した場合、絞り機構を操作して流路の横断面積を元に戻す（増加させる）と、流出口から流出する調和空気の風速の増大が抑制され、所定の風速を維持することできるので、空調機から供給される調和空気の風量が元に戻った場合も流出口から流出する調和空気の到達距離を所定状態に安定維持することができる。
【００１２】
前記吹出口装置においては、
前記絞り機構が、
前記ケーシングの軸心を包囲する状態で、前記ダクト接続口から前記流出口に向かってテーパ状に縮幅するように配置された複数の台形板形状の絞り羽根と、
複数の前記絞り羽根の前記流出口側の辺縁部が前記軸心に対して接近・離隔するように前記絞り羽根を回動可能な回動手段と、を備えたものとすることができる。
【００１３】
このような構成とすれば、空調機から供給され、ダクト接続口から流入する調和空気の風量の減少・増加に応じて回動手段を操作し、複数の台形板状の絞り羽根の流出口側の辺縁部を軸心に向かって接近・離隔させ、流路を多角錐形状に絞ったり、元の状態に復帰させたりすることにより、流出口から流出する調和空気の風量が増加、減少して変動した場合でも、流出口から流出する調和空気の到達距離を所定状態に維持することができる。
【００１４】
前記吹出口装置においては、
複数の前記絞り羽根に、前記絞り羽根の前記流出口側の辺縁部から前記軸心に対して接近・離隔する方向にスライド可能な副絞り羽根を設けることができる。
【００１５】
このような構成とすれば、空調機から供給され、ダクト接続口から流入する調和空気の風量が、さらに少量となった場合でも、副絞り羽根を軸心に対して接近する方向にスライドさせ流路を絞ることにより、流出口から流出する調和空気の風速の低下を抑制することができるので、流出口から流出する調和空気の到達距離を所定状態に維持することができる。
【００１６】
一方、吹出口装置においては、
前記絞り機構が、
前記ケーシングの軸心を挟んで対向する状態で配置された複数の半ドーナツ板形状の絞り羽根と、
前記ケーシングの軸心と前記絞り羽根の面方向とのなす角度が０度から９０度の角度範囲内の少なくとも一部の角度範囲内において前記絞り羽根を回動可能な回動手段と、を備えたものとすることができる。
【００１７】
このような構成とすれば、回動手段を操作して、複数の半ドーナツ板形状の絞り羽根とケーシングの軸心とのなす角度を変更することにより、流路を絞ったり、元の状態に復帰させたりすることができるので、ダクト接続口から流路内に流入する調和空気の風量が減少したり、増加した場合の流出口から流出する調和空気の風速の低下・増大を抑制し、流出口から流出する調和空気の到達距離を所定状態に維持することができる。
【００１８】
また、複数の半ドーナツ板形状の絞り羽根を採用することにより、部品点数の削減、絞り機構の配置スペースの縮小を図ることができる。
【００１９】
前記吹出口装置においては、
前記ケーシングの軸心を含む状態であって、且つ、前記絞り機構が配置された領域の少なくとも一部を含む位置に、中間仕切板を設けることができる。
【００２０】
このような構成とすれば、中間仕切板の存在により、ケーシング内を流動する調和空気を整流することができるので、流出口から吹き出す調和空気の到達距離を一定に維持する上で有効である。
【００２１】
前記吹出口装置においては、前記ケーシングにおいて前記絞り機構よりも前記流出口寄りの位置に気流案内部材を配置することができる。
【００２２】
このような構成とすれば、吹出口装置から吹き出す調和空気の指向性を高めることができるので、吹出口装置から空調対象領域に向かって吹き出す調和空気の到達距離を一定に維持する上で有効である。
【００２３】
前記吹出口装置においては、前記気流案内部材が、中筒を内蔵したノズルであることが望ましい。
【００２４】
このような構成とすれば、ノズルから吹き出す調和空気の到達距離を長く確保することができるので、空調対象領域が広大な大空間空調を行う場合に有効である。
【発明の効果】
【００２５】
本発明により、空調機から供給される調和空気の風量が減少した場合でも、流出口から流出する調和空気の到達距離を所定状態に維持することができる吹出口装置を提供することができる。
【図面の簡単な説明】
【００２６】
【図１】本発明の実施形態である吹出口装置の一部省略斜視図である。
【図２】図１に示す吹出口装置を空調対象領域の壁体に取り付けた状態を示す一部省略右側面図である。
【図３】図１に示す吹出口装置の絞り機構が全開状態にあるときの一部省略正面図である。
【図４】図３中のＡ−Ａ線における一部省略断面図である。
【図５】図４の一部拡大図である。
【図６】図３に示す吹出口装置の一部省略背面図である。
【図７】図１に示す吹出口装置の絞り機構が半開状態にあるときの一部省略正面図である。
【図８】図７中のＢ−Ｂ線における一部省略断面図である。
【図９】図８の一部拡大図である。
【図１０】図７に示す吹出口装置の一部省略背面図である。
【図１１】図１に示す吹出口装置の絞り機構が全閉状態にあるときの一部省略正面図である。
【図１２】図１１中のＣ−Ｃ線における一部省略断面図である。
【図１３】図１２の一部拡大図である。
【図１４】図１１に示す吹出口装置の一部省略背面図である。
【図１５】本発明のその他の実施形態である吹出口装置の一部省略斜視図である。
【図１６】図１５に示す吹出口装置の一部省略右側面図である。
【図１７】図１５に示す吹出口装置の一部省略左側面図である。
【図１８】図１５に示す吹出口装置の一部省略平面図である。
【図１９】図１５に示す吹出口装置の一部省略底面図である。
【図２０】図１５に示す吹出口装置を空調対象領域の壁体に取り付けた状態を示す一部省略右側面図である。
【図２１】図１５に示す吹出口装置の絞り機構が全開状態にあるときの一部省略正面図である。
【図２２】図２１中のＤ−Ｄ線における一部省略断面図である。
【図２３】図２２の一部拡大図である。
【図２４】図２１中のＥ−Ｅ線における一部省略断面図である。
【図２５】図２１中のＦ−Ｆ線における一部省略断面図である。
【図２６】図１２に示す吹出口装置の絞り機構が半開状態にあるときの一部省略正面図である。
【図２７】図２６中のＧ−Ｇ線における一部省略断面図である。
【図２８】図２７の一部拡大図である。
【図２９】図２６中のＨ−Ｈ線における一部省略断面図である。
【図３０】図１２に示す吹出口装置の絞り機構が全閉状態にあるときの一部省略正面図である。
【図３１】図３０中のＪ−Ｊ線における一部省略断面図である。
【図３２】図３１の一部拡大図である。
【図３３】図３０中のＫ−Ｋ線における一部省略断面図である。
【図３４】図１２に示す吹出口装置を使用した気流到達試験結果を示す図である。
【発明を実施するための形態】
【００２７】
以下、図１〜図３４に基づいて、本発明の実施形態である吹出口装置１００，２００について説明する。
【００２８】
初めに、図１〜図１４に基づいて吹出口装置１００について説明する。図２に示すように、吹出口装置１００は、空調対象空間（図示せず）の壁体１に設けられた開口部２に取り付けて使用されるものであり、空調機（図示せず）から供給される調和空気を搬送するダクト３と接続され、調和空気を流入させるダクト接続口１１と、ダクト接続口１１から流入した調和空気が流動する流路１２と、流路１２を流動する調和空気を空調対象空間に向かって矢線Ｒ方向に流出させる流出口１３と、を有する四角筒状のケーシング１０と、ケーシング１０内の流路１２に配置された絞り機構２０と、を備えている。
【００２９】
図３〜図６に示すように、ダクト接続口１１からケーシング１０内に入った部分には、ダクト接続口１１から流出口１３に向かって流路１２の横断面積を連続的に絞るように４枚の傾斜板１４が四角漏斗状をなすように配置され、これらの傾斜板１４より流出口１３側に絞り機構２０が設けられている。
【００３０】
図４，図５に示すように、絞り機構２０は、流路１２の横断面積を変更可能な４枚の絞り羽根２１及び副絞り羽根２２を備えている。絞り機構２０は、ケーシング１０の軸心１０ａを包囲する状態で、ダクト接続口１１から流出口１３に向かってテーパ状に縮幅するように配置された４枚の台形板形状の絞り羽根２１と、絞り羽根２１の流出口１３側の辺縁部２１ａが軸心１０ａに対して接近・離隔するように絞り羽根２１を、蝶番２３中心に回動させる回動手段の一部をなす伝達手段２４と、を備えている。なお、前記回動手段は、駆動手段（図示せず）と、駆動手段からの駆動力を絞り羽根２１に伝達する伝達手段２４と、を備えている。
【００３１】
４枚の絞り羽根２１の外面（ケーシング１０に対向する面）には、それぞれ、絞り羽根２１の流出口１３側の辺縁部２１ａから軸心１０ａに対して接近・離隔する方向にスライド可能な副絞り羽根２２が設けられている。図４，図５に示すように、絞り羽根２１には、矢線Ｒ方向（図１参照）に沿った方向を長手方向とする複数のスリット２１ｂが開設され、副絞り羽根２２に突設された複数のスライダー２２ｂがそれぞれスリット２１ｂ内にスライド可能に嵌め込まれている。よって、副絞り羽根２２は、絞り羽根２１に対しスリット２１ｂの長手方向に沿ってスライド可能である。
【００３２】
図４，図５に示すように、伝達手段２４は、ケーシング１０の内側に流路１２を四辺形状に囲むような状態で回転可能に配置された４本の駆動軸２５と、絞り羽根２１及び副絞り羽根２２と駆動軸２５との間に設けられた複数のリンク部材２６と、を備えている。伝達手段２４は、ケーシング１０の外部に設けられた駆動手段（図示せず）から駆動軸２５に伝達される回転駆動力を複数のリンク部材２６を介して絞り羽根２１及び副絞り羽根２２に伝達する機能を有する。
【００３３】
図４，図５に示すように、駆動軸２５を矢線Ｓ方向に回転させると、この回転力が複数のリンク部材２６を介して副絞り羽根２２及び絞り羽根２１に伝達され、副絞り羽根２２及び絞り羽根２１が蝶番２３を中心に矢線Ｓと反対方向に一体的に回転し、絞り羽根２１の辺縁部２１ａ及び副絞り羽根２２の辺縁部２２ａが軸心１０ａに接近する方向へ移動する。
【００３４】
また、駆動軸２５を矢線Ｓと逆方向に回転させると、この回転力が複数のリンク部材２６を介して副絞り羽根２２及び絞り羽根２１に伝達され、副絞り羽根２２及び絞り羽根２１が蝶番２３を中心に矢線Ｓ方向に一体的に回転し、絞り羽根２１の辺縁部２１ａ及び副絞り羽根２２の辺縁部２２ａが軸心１０ａから離隔する方向へ移動する。
【００３５】
さらに、吹出口装置１００においては、ケーシング１０において絞り機構２０よりも流出口１３寄りの位置に気流案内部材であるノズル３０が配置されている。ノズル３０の先端開口部（図１中の矢線Ｒ方向の先端開口部）はベルマウス形状をなしており、ノズル３０の内部には、円筒状の中筒３１が軸心１０ａと同軸上に配置されている。
【００３６】
図１〜図６に示す吹出口装置１００においては絞り機構２０が全開状態（絞り羽根２１及び副絞り羽根２２が軸心１０ａと平行をなしている状態）にセットされているので、ダクト接続口１１から流路１２内に流入する調和空気の風量が設計風量（１００％）であるとき、ノズル３０から空調対象空間に向かって吹き出す調和空気は設計通りの領域まで到達し、設計通りの気流分布状態となる。
【００３７】
次に、図７〜図１４に基づいて、ダクト接続口１１から流路１２内に流入する調和空気の風量が設計風量（１００％）から７５％，５０％に減少した場合の吹出口装置１００の絞り機構２０の対応機能について説明する。
【００３８】
図７〜図１０は、ダクト接続口１１から流路１２内に流入する調和空気の風量が設計風量（１００％）から７５％に減少した場合の吹出口装置１００における絞り機構２０の対応状態を示している。
【００３９】
図８，図９に示すように、駆動軸２５を矢線Ｓ方向に回転させると、この回転力が複数のリンク部材２６を介して副絞り羽根２２及び絞り羽根２１に伝達され、副絞り羽根２２及び絞り羽根２１が蝶番２３を中心に矢線Ｓと反対方向に回転し、絞り羽根２１の辺縁部２１ａ及び副絞り羽根２２の辺縁部２２ａが一体的に軸心１０ａに接近する方向へ移動し、流路１２の横断面積は徐々に縮小していく。
【００４０】
図７〜図１０に示すように、４枚の絞り羽根２１及び副絞り羽根２２の辺縁部２１ａ，２２ａの両端部が互いに接触するまで、副絞り羽根２２及び絞り羽根２１を回転させていくと、流路１２は４つの辺縁部２１ａ，２２ａによって正方形をなすように絞られ、流路１２の横断面積は縮小する。このとき、絞り羽根２１及び副絞り羽根２２の平面方向は軸心１０ａに対し、鋭角側の角度において、２５度傾斜した状態となっている。
【００４１】
このように、ダクト接続口１１から流路１２内に流入する調和空気の風量が７５％に減少した場合、絞り機構２０の駆動軸２５を操作して流路１２の横断面積を縮小させると、流出口１３（ノズル３０）から流出する調和空気の風速の低下が抑制され、所定の風速を維持することできるので、調和空気の風量が７５％に減少した場合でも流出口１３から流出する調和空気の到達距離を所定状態に安定維持することができる。
【００４２】
図１１〜図１４は、ダクト接続口１１から流路１２内に流入する調和空気の風量が設計風量（１００％）から５０％まで減少した場合の吹出口装置１００の絞り機構２０の対応状態を示している。
【００４３】
前述した図８，図９に示すように、半開状態にある絞り機構２０の駆動軸２５をさらに矢線Ｓ方向に回転させると、図１２，図１３に示すように、この回転力が複数のリンク部材２６を介して副絞り羽根２２に伝達され、副絞り羽根２２が絞り羽根２１のスリット２１ｂの長手方向に沿ってスライドし、これにより、副絞り羽根２２の辺縁部２２ａが軸心１０ａに接近する方向へ移動し、流路１２の横断面積はさらに縮小していく。
【００４４】
図１１〜図１４に示すように、４枚の副絞り羽根２２の辺縁部２２ａの両端部が互いに接触するまで、副絞り羽根２２を絞り羽根２１に沿ってスライドさせていくと、流路１２は４つの辺縁部２２ａによって正方形をなすように絞られ、流路１２の横断面積は図７に示す状態よりもさらに縮小した状態となる。
【００４５】
このように、ダクト接続口１１から流路１２内に流入する調和空気の風量が５０％まで減少した場合、絞り機構２０の駆動軸２５を操作して流路１２の横断面積を縮小させると、流出口１３から流出する調和空気の風速の低下が抑制され、所定の風速を維持することできるので、調和空気の風量が５０％まで減少した場合でも流出口１３（ノズル３０）から流出する調和空気の到達距離を所定状態に安定維持することができる。
【００４６】
なお、駆動軸２５を矢線Ｓと逆方向に回転させると、この回転力が複数のリンク部材２６を介して副絞り羽根２２に伝達され、副絞り羽根２２は前述と逆方向にスライドして絞り羽根２１と全面的に重なり合った状態に戻り、この後、前記回転力が副絞り羽根２２及び絞り羽根２１に伝達され、副絞り羽根２２及び絞り羽根２１が蝶番２３を中心に矢線Ｓと反対方向に一体的に回転し、絞り羽根２１の辺縁部２１ａ及び副絞り羽根２２の辺縁部２２ａが軸心１０ａから離隔する方向へ移動して、図３〜図６に示す状態に復帰する。
【００４７】
吹出口装置１００においては、軸心１０ａを囲むように配置された４枚の絞り羽根２１及び副絞り羽根２２によって流路１２を絞り込むので、安定した気流を生成することができる。また、流路１２を段階的に絞ったとき、各段階における流路１２の横断面形状は互いに相似形を成すので、気流が安定している。さらに、絞り機構２０によって形成される流路１２は、図１中の矢線Ｒ方向に向かって先細り形状となるため、小風量時の気流到達性能を安定的に確保することができる。
【００４８】
吹出口装置１００においては、ケーシング１０において絞り機構２０よりも流出口１３寄りの位置に気流案内部材であるノズル３０及び中筒３１を配置したことにより、吹出口装置１００から吹き出す調和空気の指向性を高めることができるので、吹出口装置１００から空調対象領域に向かって吹き出す調和空気の到達距離を一定に維持する上で有効である。
【００４９】
次に、図１５〜図３４に基づいて吹出口装置２００について説明する。図１５〜図２２に示すように、吹出口装置２００は、空調対象空間（図示せず）の壁体１に設けられた開口部２に取り付けて使用されるものであり、空調機（図示せず）から供給される調和空気を搬送するダクト３と接続し、調和空気を流入させるダクト接続口５１と、ダクト接続口５１から流入した調和空気が流動する流路５２（図２２参照）と、流路５２を流動する調和空気を空調対象空間に向かって流出させる流出口５３と、を有する円筒状のケーシング５０と、ケーシング５０内の流路５２に配置された絞り機構６０と、を備えている。
【００５０】
絞り機構６０は、ケーシング５０の軸心５０ａを挟んで対向する状態で配置された２枚の半ドーナツ板形状の絞り羽根６１と、ケーシング５０の軸心５０ａと絞り羽根６１の面方向とのなす角度を０度から９０度の範囲内において変更可能な回動手段を構成する伝達手段６４と、を備えている。
【００５１】
図２１〜図２４に示すように、絞り機構６０の一部をなす伝達手段６４は、ケーシング５０内において２枚の絞り羽根６１をそれぞれ回動可能に保持する支軸６２と、駆動装置６６から一方の支軸６２に伝達される駆動力を他方の支軸６２に伝達するためケーシング５０の外部のボックス６５内に配置された扇形ギヤ６３と、を備えている。図１５，図２１に示すように、軸心５０ａより上方に位置する絞り羽根６１を保持する支軸６２の先端部６２ａはボックス６５から突出しており、この先端部６２ａに開度表示器６７及び駆動装置６６が取り付けられている。
【００５２】
図２２，図２３，図２５に示すように、吹出口装置２００においては、ケーシング５０の軸心５０ａを含む状態であって、且つ、絞り機構６０が配置された領域（２枚の絞り羽根６１に挟まれた領域）を含む位置に中間仕切板６８が設けられている。また、図２１，図２２に示すように、ケーシング５０の内周面の左右側部において上下の支軸６２の間に挟まれた領域には弓形板材６９が軸心５０ａと直交する方向（流路５２を横断する方向）にリブ状に取り付けられている。
【００５３】
また、吹出口装置２００においては、ケーシング５０において絞り機構６０よりも流出口１３寄りの位置に気流案内部材であるノズル７０が配置されている。ノズル７０の先端開口部（図１５中の矢線Ｒ方向の先端開口部）はベルマウス形状をなしており、ノズル７０の内部には、円筒状の中筒７１が軸心５０ａと同軸上に配置されている。
【００５４】
図２１〜図２５に示す吹出口装置２００においては、絞り機構６０が全開状態（２枚の絞り羽根６１が軸心５０ａと平行をなしている状態）にセットされているので、ダクト接続口５１から流路５２内に流入する調和空気の風量が設計風量（１００％）であるとき、ノズル７０から空調対象空間に向かって吹き出す調和空気は設計通りの領域まで到達し、設計通りの気流分布状態となる。
【００５５】
次に、図２６〜図３３に基づいて、ダクト接続口５１から流路５２内に流入する調和空気の風量が設計風量（１００％）から７５％，５０％に減少した場合の吹出口装置２００の絞り機構２０の対応機能について説明する。
【００５６】
図２６〜図２９は、ダクト接続口５１から流路５２内に流入する調和空気の風量が設計風量（１００％）から７５％に減少した場合の吹出口装置２００における絞り機構２０の対応状態を示している。
【００５７】
制御装置（図示せず）からの信号により駆動装置６６（図１６参照）を作動させ、図２９に示すように、一方の支軸６２を矢線Ｔ１方向に回転させると、この回転力が２つの扇形ギヤ６３を介して他方の支軸６２に伝達され、他方の支軸６２が矢線Ｔ２方向へ回転する。
【００５８】
このように、２本の支軸６２が互いに逆方向へ回転することにより、半ドーナツ板形状の２枚の絞り羽根６１は、それぞれの外周縁６１ａ（凸円弧状をなす部分）が軸心５０ａから離れる方向へ回転し、図２７，図２８に示すように、２枚の絞り羽根６１が軸心５０ａに対し、互いに逆方向に４５度傾斜した状態となり、この傾斜角度が開度表示器６７に表示される。これにより、２枚の絞り羽根６１の間に形成される流路５２は、その横断面積が徐々に縮小した状態となる。
【００５９】
このように、ダクト接続口５１から流路５２内に流入する調和空気の風量が７５％に減少した場合、絞り機構６０の駆動装置６６を作動させて流路５２の横断面積を縮小させると、流出口５３から流出する調和空気の風速の低下が抑制され、所定の風速を維持することできるので、調和空気の風量が７５％に減少した場合でも、流出口５３（ノズル７０）から流出する調和空気の到達距離を所定状態に安定維持することができる。
【００６０】
図３０〜図３３は、ダクト接続口１１から流路１２内に流入する調和空気の風量が設計風量（１００％）から５０％まで減少した場合の吹出口装置１００の絞り機構２０の対応状態を示している。
【００６１】
前述した図２７〜図２９に示すように、半開状態にある絞り機構６０の支軸６２をさらに矢線Ｔ１，Ｔ２方向に回転させると、２枚の絞り羽根６１は、それぞれの外周縁６１ａ（凸円弧形状をなす部分）が軸心５０ａからさらに離れる方向へ回転し、図３０〜図３３に示すように、２枚の絞り羽根６１が軸心５０ａに対し、９０度をなす状態となり、この角度が開度表示器６７に表示される。
【００６２】
これにより、２枚の絞り羽根６１の間に形成される流路５２は、２枚の絞り羽根６１の内周縁６１ｂ（凹円弧形状をなす部分）によって囲まれた領域のみとなり、その横断面積は最も縮小した状態となる。このとき、２枚の絞り羽根６１の外周縁６１ａの左右側部とケーシング５０の内周面との隙間は弓形板材６９によって閉塞される。
【００６３】
このように、ダクト接続口５１から流路５２内に流入する調和空気の風量が５０％まで減少した場合、絞り機構６０の支軸６２を作動させて流路５２の横断面積を縮小させると、流出口５３（ノズル７０）から流出する調和空気の風速の低下が抑制され、所定の風速を維持することできるので、調和空気の風量が５０％まで減少した場合でも流出口５３から流出する調和空気の到達距離を所定状態に安定維持することができる。
【００６４】
なお、駆動装置６６（図１６参照）を作動させて、２本の支軸６２をそれぞれ矢線Ｔ１，Ｔ２と逆方向に回転させると、絞り羽根６１は前述と逆方向に回転して軸心５０ａと平行をなす状態に復帰する。
【００６５】
このように、駆動装置６６を作動させて、複数の半ドーナツ板形状の絞り羽根６１とケーシング５０の軸心５０ａとのなす角度を変更することにより、流路５２を絞ったり、元の状態に復帰させたりすることができるので、ダクト接続口５１から流路５２内に流入する調和空気の風量が減少したり、増加した場合の流出口５３（ノズル７０）から流出する調和空気の風速の低下・増大を抑制し、流出口５３（ノズル７０）から流出する調和空気の到達距離を所定状態に維持することができる。
【００６６】
また、吹出口装置２００においては、絞り機構６０に、複数の半ドーナツ板形状の絞り羽根６１を採用したことにより、部品点数の削減、絞り機構６０の配置スペースの縮小を図ることができた。
【００６７】
吹出口装置２００においては、ケーシング５０の軸心５０ａを含み、且つ、絞り機構６０が配置された領域の少なくとも一部を含む位置に、中間仕切板６８を設けているため、この中間仕切板６８の存在により、ケーシング５０内を流動する調和空気を整流することができるので、流出口５３（ノズル７０）から吹き出す調和空気の到達距離を一定に維持する上で有効である。
【００６８】
吹出口装置２００においては、ケーシング５０において絞り機構６０よりも流出口５３寄りの位置に気流案内部材であるノズル７０及び中筒７１を配置したことにより、吹出口装置２００から吹き出す調和空気の指向性を高めることができるので、吹出口装置２００から空調対象領域に向かって吹き出す調和空気の到達距離を一定に維持する上で有効である。
【００６９】
次に、図３４（ａ）〜（ｃ）に基づいて、吹出口装置２００を使用した気流到達試験結果について説明する。図３４は、空調対象領域の中心から３０ｍ離れた壁体に、ダクトサイズ（ノズルサイズ）の異なる２台の吹出口装置２００（図示せず）が上下に配置され、それぞれの吹出口装置２００から調和空気流が吹き出された状態を模式的に示している。縦矢線は、吹出口装置２００の設置高さ（ｍ）を示しており、高さ８ｍの位置に設置された吹出口装置２００のダクトサイズ（ノズルサイズ）φは３５０ｍｍであり、高さ７ｍの位置に設置された吹出口装置２００のダクトサイズ（ノズルサイズ）φは４５０ｍｍである。
【００７０】
図３４（ａ）〜（ｃ）において、横軸は、吹出口装置２００の設置場所から空調対象領域の中心までの距離（ｍ）を示しており、前述したように、縦矢線はそれぞれ２台の吹出口装置２００の設置高さ（ｍ）を示している。
【００７１】
図３４において、（ａ）は吹出口装置２００に供給される風量が２２５０ｍ3／ｈ（風量１００％）のときの到達試験結果、（ｂ）は供給される風量が１６９０ｍ3／ｈ（風量７５％）のときの到達試験結果、（ｃ）は供給される風量が１１２５ｍ3／ｈ（風量５０％）のときの到達試験結果を示している。
【００７２】
図３４のグラフにおいて、一点鎖線で表示する放物線で挟まれた領域は、高さ８ｍの位置に設置されたダクトサイズφ３５０の吹出口装置２００から吹き出す気流の到達領域（残風速が０．１〜０．１５ｍ／ｓである領域）を示しており、実線で表示する放物線で挟まれた領域は高さ７ｍの位置に設置されたダクトサイズφ４５０の吹出口装置２００から吹き出す気流の到達領域（残風速が０．１〜０．１５ｍ／ｓである領域）を示している。
【００７３】
図３４を見ると、吹出口装置２００に供給される調和空気の風量が、同図（ａ）に示す設計風量（１００％）のときは絞り羽根６１を全開状態（０度）とし、同図（ｂ）に示す風量７５％のときは絞り羽根を半開状態（φ４５０ｍｍの吹出口装置２００においては３５度、φ３５０ｍｍの吹出口装置２００においては４５度）とし、同図（ｃ）に示す風量５０％のときは絞り羽根６１を全閉状態（９０度）として、吹出口装置２００から吹き出す調和空気の風速を上げることにより、何れのときにおいても、同図（ａ）に示す設計風量（１００％）のときと同様の到達距離を維持することができることが分かる。
【００７４】
なお、図３４（ａ）〜（ｃ）は吹出口装置２００を使用した場合の気流到達試験結果を示しているが、前述した、図１に示す吹出口装置１００を使用した場合も同様の効果を得ることができる。
【００７５】
図１〜図３４に基いて説明した吹出口装置１００，２００は、本発明に係る吹出口装置を例示するものであり、本発明に係る吹出口装置は前述した吹出口装置１００，２００に限定されない。
【産業上の利用可能性】
【００７６】
本発明に係る吹出口装置は、大規模な展示場や運動競技施設などにおける大空間空調設備の一部として、土木建設業の分野において広く利用することができる。
【符号の説明】
【００７７】
１  壁体
２  開口部
３  ダクト
１０，５０  ケーシング
１０ａ，５０ａ  軸心
１１，５１  ダクト接続口
１２、５２  流路
１３，５３  流出口
１４  傾斜板
２０，６０  絞り機構
２１，６１  絞り羽根
２１ａ，２２ａ  辺縁部
２１ｂ  スリット
２２  副絞り羽根
２２ｂ  スライダー
２３  蝶番
２４，６４  伝達手段
２５  駆動軸
２６  リンク部材
３０，７０  ノズル
３１，７１  中筒
６１ａ  外周縁
６１ｂ  内周縁
６２  支軸
６２ａ  先端部
６３  扇形ギヤ
６５  ボックス
６６  駆動装置
６７  開度表示器
６８  中間仕切板
６９  弓形板材
１００，２００  吹出口装置
【図１】
2020041756.tif 000003
【図２】
2020041756.tif 000004
【図３】
2020041756.tif 000005
【図４】
2020041756.tif 000006
【図５】
2020041756.tif 000007
【図６】
2020041756.tif 000008
【図７】
2020041756.tif 000009
【図８】
2020041756.tif 000010
【図９】
2020041756.tif 000011
【図１０】
2020041756.tif 000012
【図１１】
2020041756.tif 000013
【図１２】
2020041756.tif 000014
【図１３】
2020041756.tif 000015
【図１４】
2020041756.tif 000016
【図１５】
2020041756.tif 000017
【図１６】
2020041756.tif 000018
【図１７】
2020041756.tif 000019
【図１８】
2020041756.tif 000020
【図１９】
2020041756.tif 000021
【図２０】
2020041756.tif 000022
【図２１】
2020041756.tif 000023
【図２２】
2020041756.tif 000024
【図２３】
2020041756.tif 000025
【図２４】
2020041756.tif 000026
【図２５】
2020041756.tif 000027
【図２６】
2020041756.tif 000028
【図２７】
2020041756.tif 000029
【図２８】
2020041756.tif 000030
【図２９】
2020041756.tif 000031
【図３０】
2020041756.tif 000032
【図３１】
2020041756.tif 000033
【図３２】
2020041756.tif 000034
【図３３】
2020041756.tif 000035
【図３４】
2020041756.tif 000036
【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
空調機から供給される調和空気を搬送するダクトと接続し、調和空気を流入させるダクト接続口と、前記ダクト接続口から流入した調和空気が流動する流路と、前記流路を流動する調和空気を空調対象空間に向かって流出させる流出口と、を有する筒状のケーシングと、
前記ケーシング内の前記流路に配置された絞り機構と、を備え、
前記絞り機構が前記流路の横断面積を変更可能な複数の絞り羽根を備え、
前記絞り機構が、
前記ケーシングの軸心を包囲する状態で、前記ダクト接続口から前記流出口に向かってテーパ状に縮幅するように配置された複数の台形板形状の絞り羽根と、
複数の前記絞り羽根の前記流出口側の辺縁部が前記軸心に対して接近・離隔するように前記絞り羽根を回動可能な回動手段と、を備え、
複数の前記絞り羽根に、前記絞り羽根の前記流出口側の辺縁部から前記軸心に対して接近・離隔する方向にスライド可能な副絞り羽根を設けた吹出口装置。
【請求項２】
空調機から供給される調和空気を搬送するダクトと接続し、調和空気を流入させるダクト接続口と、前記ダクト接続口から流入した調和空気が流動する流路と、前記流路を流動する調和空気を空調対象空間に向かって流出させる流出口と、を有する筒状のケーシングと、
前記ケーシング内の前記流路に配置された絞り機構と、を備え、
前記絞り機構が前記流路の横断面積を変更可能な複数の絞り羽根を備え、
前記絞り機構が、
前記ケーシングの軸心を挟んで対向する状態で配置された複数の半ドーナツ板形状の絞り羽根と、
前記ケーシングの軸心と前記絞り羽根の面方向とのなす角度が０度から９０度の角度範囲内の少なくとも一部の角度範囲内において前記絞り羽根を回動可能な回動手段と、を備えた吹出口装置。
【請求項３】
前記ケーシングの軸心を含む状態であって、且つ、前記絞り機構が配置された領域の少なくとも一部を含む位置に、中間仕切板を設けた請求項２記載の吹出口装置。
【請求項４】
前記ケーシングにおいて前記絞り機構よりも前記流出口寄りの位置に気流案内部材を配置した請求項１〜３の何れかの項に記載の吹出口装置。
【請求項５】
前記気流案内部材が、中筒を内蔵したノズルである請求項４記載の吹出口装置。
【手続補正２】
【補正対象書類名】明細書
【補正対象項目名】０００９
【補正方法】変更
【補正の内容】
【０００９】
本発明に係る吹出口装置は、空調機から供給される調和空気を搬送するダクトと接続し、調和空気を流入させるダクト接続口と、前記ダクト接続口から流入した調和空気が流動する流路と、前記流路を流動する調和空気を空調対象空間に向かって流出させる流出口と、を有する筒状のケーシングと、
前記ケーシング内の前記流路に配置された絞り機構と、を備え、
前記絞り機構が前記流路の横断面積を変更可能な複数の絞り羽根を備え、
前記絞り機構が、
前記ケーシングの軸心を包囲する状態で、前記ダクト接続口から前記流出口に向かってテーパ状に縮幅するように配置された複数の台形板形状の絞り羽根と、
複数の前記絞り羽根の前記流出口側の辺縁部が前記軸心に対して接近・離隔するように前記絞り羽根を回動可能な回動手段と、を備え、
複数の前記絞り羽根に、前記絞り羽根の前記流出口側の辺縁部から前記軸心に対して接近・離隔する方向にスライド可能な副絞り羽根を設けたことを特徴とする。
【手続補正３】
【補正対象書類名】明細書
【補正対象項目名】００１２
【補正方法】変更
【補正の内容】
【００１２】
前記吹出口装置においては、
前記絞り機構が、
前記ケーシングの軸心を包囲する状態で、前記ダクト接続口から前記流出口に向かってテーパ状に縮幅するように配置された複数の台形板形状の絞り羽根と、
複数の前記絞り羽根の前記流出口側の辺縁部が前記軸心に対して接近・離隔するように前記絞り羽根を回動可能な回動手段と、を備えたものとしている。
【手続補正４】
【補正対象書類名】明細書
【補正対象項目名】００１４
【補正方法】変更
【補正の内容】
【００１４】
前記吹出口装置においては、
複数の前記絞り羽根に、前記絞り羽根の前記流出口側の辺縁部から前記軸心に対して接近・離隔する方向にスライド可能な副絞り羽根を設けている。
【手続補正５】
【補正対象書類名】明細書
【補正対象項目名】００１６
【補正方法】変更
【補正の内容】
【００１６】
一方、本発明に係る吹出口装置は、
空調機から供給される調和空気を搬送するダクトと接続し、調和空気を流入させるダクト接続口と、前記ダクト接続口から流入した調和空気が流動する流路と、前記流路を流動する調和空気を空調対象空間に向かって流出させる流出口と、を有する筒状のケーシングと、
前記ケーシング内の前記流路に配置された絞り機構と、を備え、
前記絞り機構が前記流路の横断面積を変更可能な複数の絞り羽根を備え、
前記絞り機構が、
前記ケーシングの軸心を挟んで対向する状態で配置された複数の半ドーナツ板形状の絞り羽根と、
前記ケーシングの軸心と前記絞り羽根の面方向とのなす角度が０度から９０度の角度範囲内の少なくとも一部の角度範囲内において前記絞り羽根を回動可能な回動手段と、を備えたことを特徴とする。